(57)【要約】【課題】  キッチンルームとダイニングルームとの間に設けられたカウンターに取り付けられた水栓を、キッチンルームからだけでなくダイニングルームからも容易に吐水できるようにする。【解決手段】  キッチンルーム４とダイニングルーム５との間にメインカウンター３が設けられ、このメインカウンター３には湯水が吐水される水栓１４と、水栓１４から吐水される湯水が供給されるシンク１２とを備えた対面式キッチン１において、前記水栓１４は湯水の流量が調節される弁機構２６が収容された本体１５と、弁機構２６で調節された湯水が吐水される吐水管１６と、弁機構２６と連繋し湯水の吐水・止水を行なうレバー１７とを備え、本体１４の外周でダイニングルーム５と向かい合う位置には、レバー１７が止水位置であっても吐水管１６からの吐水を行なう補助ハンドル１８が設けられた。【選択図】  図２
2006063736.tif 000002
【特許請求の範囲】
【請求項１】
キッチンルームとダイニングルームとの間にメインカウンターが設けられ、このメインカウンターには湯水が吐水される水栓と、水栓から吐水される湯水が供給されるシンクとを備えた対面式キッチンにおいて、前記水栓は湯水の流量が調節される弁機構が収容された本体と、弁機構で調節された湯水が吐水される吐水管と、弁機構と連繋し湯水の吐水・止水を行なうレバーとを備え、本体の外周でダイニングルームと向かい合う位置には、レバーが止水位置であっても吐水管からの吐水を行なう補助ハンドルが設けられたことを特徴とする対面式キッチン用水栓。
【請求項２】
前記本体には水流路が形成され、水流路と吐水管との間には弁機構を介することなく連通するバイパス路が形成され、補助ハンドルはバイパス路を開閉することで吐水管からの吐水を行なうことを特徴とする請求項１記載の対面式キッチン用水栓。
【請求項３】
前記補助ハンドルは吐水管の下部に設けられたことを特徴とする請求項１又は請求項２に記載の対面式キッチン用水栓。
【発明の詳細な説明】
【技術分野】
【０００１】
本発明は、キッチンルームとダイニングルームとの間にカウンターが設けられた対面式キッチンに関し、特にカウンターに取り付けられる対面式キッチン用水栓に関するものである。
【背景技術】
【０００２】
従来、建物内部でキッチンルームとダイニングルームとは独立した部屋として形成され、キッチンでは調理等が行なわれ、ダイニングルームでは家族が寛ぐ部屋として利用されていたが、生活様式の変化に伴い、一つの部屋にキッチンルームとダイニングルームとが配設された対面式キッチンユニットが普及するようになった。
このような対面式キッチンユニットとして公知のものに、例えば特許文献１に開示されているようなものが知られている。この特許文献１においては、キッチンルームとダイニングルームとの間にはカウンターが設けられ、カウンターの上面には水栓とシンクとが取り付けられており、水栓は吐水される湯水の温度と流量とを調節するレバーと、調節された湯水が吐水される吐水管とを備えており、レバーを操作することで吐水管から湯水がシンクに対し吐水されるものである。そして、ダイニングルームで食事をする場合に、キッチンルームで作られた料理や食器のダイニングルームへの受け渡しは、カウンターを利用して行なうことができる。また、キッチンルームで作業をしながらダイニングルームで寛ぐ人の様子を見たり、会話をすることができるものである。
【０００３】
【特許文献１】特開２００３−３１０３６６号公報
【発明の開示】
【発明が解決しようとする課題】
【０００４】
このような特許文献１において、カウンターに取り付けられた水栓は、キッチンルームで調理等を行なうために設けられており、湯水の吐水、止水を行なうためのレバーはキッチンルームに向けて伸びているため、キッチンルームからは容易に操作できるようにしている。しかし、例えばダイニングルームで寛いでいる人が水を使用する場合に、水栓のレバーを操作する必要があるが、レバーはキッチンルームに向けて伸びているためダイニングルームからは操作がしずらいものであり、この場合、使用者が意図した通りにレバーを操作することができず、ダイニングルーム側からキッチンルーム側へ回りこんで水を吐水させたり、キッチンルームにいる人がレバーを操作して水を用意する必要があり、その解決策が望まれていた。
【０００５】
この発明は、このような従来の技術に存在する問題点に着目してなされたものであり、その課題は、キッチンルームとダイニングルームとの間に設けられたカウンターに取り付けられた水栓を、キッチンルームからだけでなくダイニングルームからも容易に操作できるようにすることである。
【課題を解決するための手段】
【０００６】
上記の課題を達成するために請求項１に記載の発明では、キッチンルームとダイニングルームとの間にメインカウンターが設けられ、このメインカウンターには湯水が吐水される水栓と、水栓から吐水される湯水が供給されるシンクとを備えた対面式キッチンにおいて、前記水栓は湯水の流量が調節される弁機構が収容された本体と、弁機構で調節された湯水が吐水される吐水管と、弁機構と連繋し湯水の吐水・止水を行なうレバーとを備え、本体の外周でダイニングルームと向かい合う位置には、レバーが止水位置であっても吐水管からの吐水を行なう補助ハンドルが設けられたものである。
【０００７】
請求項２に記載の発明では、請求項１記載の発明による対面式キッチン用水栓において、前記本体には水流路が形成され、水流路と吐水管との間には弁機構を介することなく連通するバイパス路が形成され、補助ハンドルはバイパス路を開閉することで吐水管からの吐水を行なうものである。
【０００８】
請求項３に記載の発明では、請求項１又は請求項２記載の発明による対面式キッチン用水栓において、前記補助ハンドルは吐水管の下部に設けられたものである。
【発明の効果】
【０００９】
本発明の請求項１によると、キッチンルーム側からだけでなくダイニングルーム側から水栓の補助ハンドルを操作して水を吐水することができ、ダイニングルームで寛ぐ人はわざわざキッチンルームに移動したり、無理な姿勢で水栓を操作する必要がなく、使い勝手がよい。
【００１０】
請求項２によると、通常の水栓にバイパス路を加えるだけの簡単な変更で操作性を大幅に向上させることができる。
【００１１】
請求項３によると、補助ハンドルは吐水管の下部に設けられているので、本体の低い位置に補助ハンドルがあり、操作が容易である。
【発明を実施するための最良の形態】
【００１２】
以下、本発明の実施の形態を図に基づいて詳細に説明する。
【実施例１】
【００１３】
図１に示すように、対面式キッチン１は建物内部で立設している壁面Ａに沿って密着して配設された横長のサブカウンター２と、そのサブカウンター２の一端から直角方向に突出したメインカウンター３とを備え、そのメインカウンター３は調理等を行なうためのキッチンルーム４と、家族が寛ぐスペースとしてのダイニングルーム５とを区画するように配置されている。
【００１４】
前記サブカウンター２には、壁面Ａに沿って水平方向に、食器や調味料等を出し入れできる収納キャビネット６と、小物等を収納できる引出キャビネット７とが配置され、その上方にはウォールユニット８が取り付けられている。また、サブカウンター２の左側には冷蔵庫９が隣接して配置されている。
【００１５】
前記メインカウンター３は、キッチンルーム４とダイニングルーム５とを仕切るように横長に形成されており、その上面にはサブカウンター２と向かい合う側から順に、加熱具としてのガス器具１０と、調理を行う作業領域としての調理スペース１１とシンク１２とが設けられ、シンク１２の後方に形成されたバックガード部１３には水栓１４が取り付けられている。前記キッチンルーム４は、サブカウンター２とメインカウンター３との間で調理等を行なうためのスペースであり、調理を行なう作業者が自由に動けるだけのスペースが確保されている。
【００１６】
前記水栓１４は図２及び図３に示すように、縦長の円筒状である本体１５と、この本体１５に対し回転自在に装着される吐水管１６と、この吐水管１６から供給される湯水の流量と温度とを調節するためのレバー１７と、前記ダイニングルーム５側から水を吐水するための補助ハンドル１８とを備えている。
【００１７】
前記本体１５の下端には取付部１９が形成され、この取付部１９は外周面に雄ねじ部２０が形成されており、取付部１９をバックガード部１３に穿設された取付孔１３ａに挿通し、下方から雄ねじ部２０に対しナット２１を螺合することでバックガード部１３に取付けられる。前記取付部１９には、上流側で給水源、給湯源にそれぞれ連通する給水管２２と給湯管２３とが互いに平行となるように装着される。本体１５の内部には前記給水管２２及び給湯管２３とそれぞれ連通する水流路２４及び湯流路２５がそれぞれ形成され、両流路２４，２５の上部にはこの水流路２４,湯流路２５から供給される水と湯とが混合される弁機構２６が収容されている。この弁機構２６は内部に前記水流路２４及び湯流路２５に連通する弁室２７が形成されており、この弁室２７にはセラミックスの成型による固定板２８と、この固定板２８と同一素材による可動板２９とが水密に重ね合わせて内装され、可動板２９は把手軸３０を介してレバー１７と連繋しており、このレバー１７の操作により、前記固定板２８と可動板２９との弁開閉の対応関係を変化させることによって、水、湯又は湯水を吐水管１６へ供給することができる。
【００１８】
前記本体１５の外周囲には、弁機構２６により調節された湯水をシンク１２に対し供給するための吐水管１６が回転自在に装着されている。そして、弁機構２６は吐水管１６に形成された通路１６ａと連通しており、弁機構２６で調節された湯水は、吐水管１６の通路１６ａを通過してシンク１２へ向けて供給される。なお、吐水管１６はシンク１２に向けて斜め上方に延出して左右に首振り自在であり、レバー１７は吐水管１６の上部でシンク１２及びキッチンルーム４に向けて斜め上方に傾斜している。
【００１９】
前記水流路２４の流路途中はバイパス路３２と連通している。このバイパス路３２は、水流路２４と吐水管１６の通路１６ａとを、弁機構２６を介することなく直接連通させるものである。バイパス路３２の流路途中には、外部と連通する開口孔３２ａが水平方向に形成され、この開口孔３２ａは水栓１４がバックガード部１３に取り付けられた場合に、ダイニングルーム５と向かい合う位置に形成されており、開口孔３２ａには水流路２４を通過する水を吐水管１６の通路１６ａへ供給するための開閉弁３３が装着されている。開閉弁３３は、バイパス路３２に形成された弁口３４を開閉する弁体３５と、この弁体３５と連繋した弁軸３６と、弁軸３６の先端に装着された補助ハンドル１８とを備え、補助ハンドル１８を開弁方向に操作し、弁軸３６を介して弁体３５を移動させ弁口３４を開放することで、水流路２４とバイパス路３２とは連通するため、水流路２４を通過する水を、弁機構２６を介することなく吐水管１６へ供給することができるものである。このような補助ハンドル１８は、本体１５の外周面でレバー１７の反対側の位置に取り付けられており、水栓１４はバックガード部１３に取り付けられ、湯水を吐水するために操作する必要のあるレバー１７がシンク１２及びキッチンルーム４を向いていても、ダイニングルーム５から補助ハンドル１８を操作することで、吐水管１６からシンク１２に向けて水を吐水させることができる。
【００２０】
本発明の水栓１４は、レバー１７の操作で湯水の流量及び温度が調節され、調節された湯水は吐水管１６からシンク１２に向けて吐水することができる。この場合、水栓１４のレバー１７はキッチンルーム４に向いているため、キッチンルーム４側からレバー１７を操作するのは容易であるが、ダイニングルーム５側からレバー１７を操作しようとすると、レバー１７の後方から操作することとなり、遠くまで手を伸ばす必要があり、操作性が悪いものである。そこで本発明の水栓１４はレバー１７と反対側である本体１５の背面側に補助ハンドル１８が設けられている。この補助ハンドル１８は水流路２４と吐水管１６の通路１６ａとを連通するバイパス路３２を開閉することのできるものであり、補助ハンドル１８を吐水方向へ操作すれば、レバー１７が止水位置であっても、吐水管１６から水をシンク１２へ向けて吐水することができる。
【００２１】
本実施例では、水栓はレバーの操作により湯水の流量と温度とが調節されるシングルレナーとしたが、例えば２ハンドル式、ミキシング式、サーモスタット式であってもよい。
また、カウンターに設置される備品は任意に変更可能である。
【図面の簡単な説明】
【００２２】
【図１】対面式キッチンの斜視図である。
【図２】本発明の水栓をカウンターに取り付けた状態の側面図である。
【図３】本発明の水栓がカウンターに取り付けられた状態の拡大断面図である。
【符号の説明】
【００２３】
１      ：対面式キッチン
３      ：メインカウンター
４      ：キッチンルーム
５      ：ダイニングルーム
１２    ：シンク
１４    ：水栓
１５    ：本体
１６    ：吐水管
１７    ：レバー
１８    ：補助ハンドル
２４    ：水流路
２６    ：弁機構
３２    ：バイパス路
【図１】
2006063736.tif 000003
【図２】
2006063736.tif 000004
【図３】
2006063736.tif 000005